(57)【特許請求の範囲】
【請求項１】
建物の壁の開口部の側方に設けられた縦枠と、前記開口部の開閉を行う開閉体の外側面との相互間の側方隙間から水が浸入することを防止するための浸水防止構造であって、
前記開閉体によって前記開口部を全閉した状態において、少なくとも当該開閉体の外側面から前記縦枠に至るように設けられた防水シートと、
前記側方隙間に、前記開口部の幅方向の中央側から前記縦枠側に向けて差し込むための側方差込部材と、を備え、
前記側方差込部材のうち、少なくとも前記側方隙間に差し込まれる側の端部である差込端部の横断面形状を、くさび状とし、
前記開閉体によって前記開口部を全閉した状態において、前記防水シートが、前記縦枠と前記差込端部とによって挟持されるように、当該差込端部及び当該防水シートの一部を前記側方隙間に差し込んだ、
浸水防止構造。
【請求項２】
前記側方差込部材は、
前記防水シートにおける前記縦枠を覆う部分の少なくとも一部を当該縦枠に対して押圧する押圧部を備える、
請求項１に記載の浸水防止構造。
【請求項３】
前記押圧部の先端部には、当該押圧部の少なくとも当該先端部を前記側方差込部材から離れる方向に向けて変形させてから、さらに当該側方差込部材における前記差込端部とは反対側の端部に向けて変形させた状態で、当該側方差込部材における前記差込端部とは反対側の端部に当該押圧部を当接させるための当接手段を設けた、
請求項２に記載の浸水防止構造。
【請求項４】
前記開閉体によって前記開口部を全閉した状態において、前記防水シートを、前記側方隙間に差し込まれた前記側方差込部材における前記押圧部の先端部よりも側方に延出させた、
請求項２又は３に記載の浸水防止構造。
【請求項５】
前記側方差込部材における前記少なくとも前記差込端部のうち、前記防水シートを介して前記縦枠と対向する部分には、前記側方隙間に差し込まれる側とは反対側に向けて傾斜して突出する凸部を設けた、
請求項１から４のいずれか一項に記載の浸水防止構造。
【請求項６】
前記建物の床面と、前記開閉体の下端部との相互間の下方隙間に、前記建物の外側から当該建物の内側に向けて差し込むための下方差込部材を備え、
前記開閉体によって前記開口部を全閉した状態において、前記防水シートが、前記建物の床面と前記下方差込部材とによって挟持されるように、当該下方差込部材及び当該防水シートの一部を前記下方隙間に差し込んだ、
請求項１から５のいずれか一項に記載の浸水防止構造。
【発明の詳細な説明】
【技術分野】
【０００１】
本発明は、浸水防止構造に関する。
【背景技術】
【０００２】
従来、建物の壁に設けられた開口部を開閉するシャッターカーテンの周囲からの浸水を防止する浸水防止構造が提案されている。例えば、このような浸水防止構造は、開口部の周縁に設けられた縦枠とシャッターカーテンの側部との相互間の隙間から水が浸入することを防止できるように、このシャッターカーテンの屋外側の側面に、防水シートを設けると共に、開口部の側方に設置されたガイドレールに、防水シートと対向するようにシール部材を設けて構成されていた。この浸水防止構造によれば、水圧がシャッターカーテンに加えられると、防水シートがシール材に圧接されるので、シャッターカーテンの側部からの浸水を防止できる。
【０００３】
しかしながら、このような浸水防止構造において、特に浸水初期のようにシャッターカーテンに加えられる水圧が比較的低い場合には、防水シートをシール材に十分な圧力で圧接させることができないため、縦枠とシャッターカーテンの側部との相互間の隙間から水が浸入するおそれがあった。そこで、このような問題を解消する技術として、縦枠とシャッターカーテンの側部との相互間の隙間を塞ぐ浸水防止構造も提案されている（例えば、特許文献１参照）。この浸水防止構造は、シャッターカーテンよりも屋外側に位置するように設けられた防水シートであって、シャッターカーテンの下側部分から建物の床面に至る範囲を覆い、且つ、シャッターの側方に位置する一方の建物の壁から他方の建物の壁に至る範囲（具体的には、左右の縦枠の各々とシャッターカーテンの側部との相互間の隙間とを含む範囲）を覆う防水シートと、これら壁の各々に取付ネジによって取り付けられた保持部材であって、防水シートの横方向の端部の各々に取り付けられた固定部材を介して防水シートを当該壁に保持する保持部材とを設けて構成されている。このような構成により、左右の縦枠の各々とシャッターカーテンの側部との相互間の隙間を塞ぐことができるので、この隙間から水が浸入することを防止できる。
【先行技術文献】
【特許文献】
【０００４】
【特許文献１】特開２０１４−１３６８９７号公報
【発明の概要】
【発明が解決しようとする課題】
【０００５】
ここで、特許文献１のような技術においては、上述したように、保持部材を取付ネジによって各建物の壁に取り付けるので、保持部材を取り付けるための取付穴を各建物の壁に設けておく必要があった。このため、取付穴を各建物の壁に設けるための準備工事を行わなければならないことから、設置に手間がかかるという問題が生じていた。
【０００６】
本発明は、上記従来技術における課題を解決するためのものであって、設置の手間を低減することが可能になる、浸水防止構造を提供することを目的とする。
【課題を解決するための手段】
【０００７】
上述した課題を解決し、目的を達成するために、請求項１に記載の浸水防止構造は、建物の壁の開口部の側方に設けられた縦枠と、前記開口部の開閉を行う開閉体の外側面との相互間の側方隙間から水が浸入することを防止するための浸水防止構造であって、前記開閉体によって前記開口部を全閉した状態において、少なくとも当該開閉体の外側面から前記縦枠に至るように設けられた防水シートと、前記側方隙間に、前記開口部の幅方向の中央側から前記縦枠側に向けて差し込むための側方差込部材と、を備え、前記側方差込部材のうち、少なくとも前記側方隙間に差し込まれる側の端部である差込端部の横断面形状を、くさび状とし、前記開閉体によって前記開口部を全閉した状態において、前記防水シートが、前記縦枠と前記差込端部とによって挟持されるように、当該差込端部及び当該防水シートの一部を前記側方隙間に差し込んだ。
【０００８】
請求項２に記載の浸水防止構造は、請求項１に記載の浸水防止構造において、前記側方差込部材は、前記防水シートにおける前記縦枠を覆う部分の少なくとも一部を当該縦枠に対して押圧する押圧部を備える。
【０００９】
請求項３に記載の浸水防止構造は、請求項２に記載の浸水防止構造において、前記押圧部の先端部には、当該押圧部の少なくとも当該先端部を前記側方差込部材から離れる方向に向けて変形させてから、さらに当該側方差込部材における前記差込端部とは反対側の端部に向けて変形させた状態で、当該側方差込部材における前記差込端部とは反対側の端部に当該押圧部を当接させるための当接手段を設けた。
【００１０】
請求項４に記載の浸水防止構造は、請求項２又は３に記載の浸水防止構造において、前記開閉体によって前記開口部を全閉した状態において、前記防水シートを、前記側方隙間に差し込まれた前記側方差込部材における前記押圧部の先端部よりも側方に延出させた。
【００１１】
請求項５に記載の浸水防止構造は、請求項１から４のいずれか一項に記載の浸水防止構造において、前記側方差込部材における前記少なくとも前記差込端部のうち、前記防水シートを介して前記縦枠と対向する部分には、前記側方隙間に差し込まれる側とは反対側に向けて傾斜して突出する凸部を設けた。
【００１２】
請求項６に記載の浸水防止構造は、請求項１から５のいずれか一項に記載の浸水防止構造において、前記建物の床面と、前記開閉体の下端部との相互間の下方隙間に、前記建物の外側から当該建物の内側に向けて差し込むための下方差込部材を備え、前記開閉体によって前記開口部を全閉した状態において、前記防水シートが、前記建物の床面と前記下方差込部材とによって挟持されるように、当該下方差込部材及び当該防水シートの一部を前記下方隙間に差し込んだ。
【発明の効果】
【００１３】
請求項１に記載の浸水防止構造によれば、側方差込部材のうち、少なくとも差込端部の横断面形状を、くさび状とし、開閉体によって開口部を全閉した状態において、防水シートが、縦枠と差込端部とによって挟持されるように、当該差込端部及び当該防水シートの一部を側方隙間に差し込むので、防水シート及び側方差込部材によって、側方隙間から水が浸入することを防止できる。特に、従来技術と比べて、準備工事を行うことなく、差止部材をシャッターに取り付けることができるので、設置作業の手間を低減することが可能となる。
【００１４】
請求項２に記載の浸水防止構造によれば、側方差込部材は、防水シートにおける縦枠を覆う部分の少なくとも一部を当該縦枠に対して押圧する押圧部を備えるので、開閉体によって開口部を全閉した状態において、防水シートにおける縦枠を覆う部分の少なくとも一部を縦枠に対して押圧でき、縦枠と防水シートとの相互間の隙間から水が浸入することを一層抑制することが可能となる。
【００１５】
請求項３に記載の浸水防止構造によれば、押圧部の先端部には、当該押圧部の少なくとも当該先端部を側方差込部材から離れる方向に向けて変形させてから、さらに当該側方差込部材における差込端部とは反対側の端部に向けて変形させた状態で、当該側方差込部材における差込端部とは反対側の端部に当該押圧部を当接させるための当接手段を設けたので、側方差込部材を側方隙間に差し込む場合に、当接手段を側方差込部材における差込端部とは反対側の端部に当接することで、押圧部が邪魔になることを回避でき、側方差込部材の設置性を維持することが可能となる。
【００１６】
請求項４に記載の浸水防止構造によれば、開閉体によって開口部を全閉した状態において、防水シートを、側方隙間に差し込まれた側方差込部材における押圧部の先端部よりも側方に延出させたので、水によって防水シートの延出部分を押圧させることができ、縦枠と防水シートとの相互間の隙間から水が浸入することを一層抑制することが可能となる。
【００１７】
請求項５に記載の浸水防止構造によれば、側方差込部材における少なくとも差込端部のうち、防水シートを介して縦枠と対向する部分には、側方隙間に差し込まれる側とは反対側に向けて傾斜して突出する凸部を設けたので、開閉体によって開口部を全閉した状態において、側方差込部材及び防水シートの一部を側方隙間に差し込む場合に、凸部がこれら側方差込部材及び防水シートの一部に対して抵抗しづらくなるので、これら側方差込部材及び防水シートの一部が差し込みやすくなる。一方で、側方差込部材及び防水シートの一部を側方隙間から抜き出す場合に、凸部がこれら側方差込部材及び防水シートの一部に対して抵抗するので、これら側方差込部材及び防水シートの一部が抜き出しにくくなる。以上のことから、側方差込部材及び防水シートの設置性を向上させることが可能となる。
【００１８】
請求項６に記載の浸水防止構造によれば、下方隙間に、建物の外側から当該建物の内側に向けて差し込むための下方差込部材を備えたので、下方差込部材と建物の床面とによって、防水シートにおける建物の床面に対向する部分のうち、縦枠の下端部近傍部分が挟持されることにより、防水シートを一層強固に保持できることから、当該縦枠と防水シートとの相互間の隙間から水が浸入することも一層抑制することが可能となる。
【図面の簡単な説明】
【００１９】
【図１】本発明の実施の形態に係るシャッターを示す図であり、（ａ）は正面図、（ｂ）は（ａ）のＡ−Ａの矢視断面図である。
【図２】図１の扉のＢ−Ｂ矢視断面図である。
【図３】側方差込部材を示す図であり、（ａ）は平面図、（ｂ）は正面図、（ｃ）は背面図である。
【図４】図３（ａ）のＣ領域の要部拡大図である。
【図５】側方差込部材の押圧部を変形させた状態を示す図である。
【図６】側方差込部材の変形例を示す図である。
【図７】側方差込部材における差込状態の変形例を示す図であって、図１の扉のＢ−Ｂ矢視断面図である。
【発明を実施するための形態】
【００２０】
以下に添付図面を参照して、この発明に係る浸水防止構造の実施の形態を詳細に説明する。まず、〔I〕実施の形態の基本的概念について説明した後、〔II〕実施の形態の具体的内容について説明し、最後に、〔III〕実施の形態に対する変形例について説明する。ただし、実施の形態によって本発明が限定されるものではない。
【００２１】
〔I〕実施の形態の基本的概念
まず、実施の形態の基本的概念について説明する。実施の形態は、概略的に、建物の壁の開口部の側方に設けられた縦枠（例えば後述するガイドレール１４）と、開口部の開閉を行う開閉体（例えば後述するシャッターカーテン３０）の外側面との相互間の側方隙間から水が浸入することを防止する、浸水防止構造に関するものである。
【００２２】
ここで、「建物」とは、その具体的な構造や種類は任意であるが、例えば、戸建て住宅、アパートやマンションの如き集合住宅、オフィスビル、商業施設、及び公共施設等を含む概念である。また、「建物の壁の開口部」とは、建物の壁（建物の躯体を構成する壁や、外壁を含む）において窓や入り口を設置するために形成された開口である。また、「開閉体」は、開口部の出入り又は視界を抑制又は制限するための構造体を意味し、例えば、シャッター、扉等を含む概念である。このうち、「シャッター」とは、防犯や防火のために、建物の開口部に取り付けられる巻上げ戸であり、例えば、窓シャッター、軽量シャッター、重量シャッター等を含む概念である。また、シャッターの駆動方式は任意であり、例えば、「手動式のシャッター」や「電動式のシャッター」として構成することができる。また、シャッターの開閉構造は任意であり、例えば、「上下開閉式のシャッター」や「左右開閉式のシャッター」として構成することができる。また、「扉」の取り付け位置や用途は任意であるが、例えば玄関に設置される「玄関扉」、勝手口や通用口に設置される「勝手口扉」、あるいは建物内部に設置されるための「室内扉」を含む。また、扉の開閉構造は任意であり、例えば、「開き戸」や「引き戸」として構成することができる。また、「水が浸入する」とは、開閉体よりも建物の外側にある水が、開閉体よりも建物の内側に入りこむことを意味する。以下、実施の形態では、開閉体が、戸建て住宅の如き建物の壁に設けられた上下開閉式且つ電動式の軽量シャッターである場合について説明する。
【００２３】
〔II〕実施の形態の具体的内容
次に、実施の形態の具体的内容について説明する。
【００２４】
（構成）
最初に、実施の形態に係る浸水防止構造が適用されるシャッターの構成について説明する。図１は、本発明の実施の形態に係るシャッターを示す図であり、（ａ）は正面図、（ｂ）は（ａ）のＡ−Ａの矢視断面図である。なお、以下の説明では、図１のＸ方向をシャッターの左右方向（−Ｘ方向をシャッターの左方向、＋Ｘ方向をシャッターの右方向）、図１のＹ方向をシャッターの前後方向（＋Ｙ方向をシャッターの前方向（建物の外側の方向）、−Ｙ方向をシャッターの後方向（建物の内側の方向））、図１のＺ方向をシャッターの上下方向（＋Ｚ方向をシャッターの上方向、−Ｚ方向をシャッターの下方向）と称する。
【００２５】
この図１に示すように、シャッター１は、概略的に、ガイドレール１４（縦枠）と、シャッター収納部２０と、シャッターカーテン３０と、開閉機（図示省略）とを備えて構成されている。ただし、シャッター１に関する特記しない構成については、従来と同様であるものとして説明を省略する。
【００２６】
（構成−ガイドレール）
ガイドレール１４は、シャッターカーテン３０を開口部３の開閉方向（すなわち、上下方向）に沿って移動するように案内するものである。このガイドレール１４は、横断面形状が略コ字状となるように形成された長尺体であり、シャッター１の左右の各端部において、上下方向に略沿う方向で配置されており、建物の左壁１１（又は右壁１２）に対して直接的に固定されたり、又は下地材（図示省略）を介して間接的に固定されている（すなわち、躯体２に対して直接的又は間接的に固定されている）。
【００２７】
（構成−シャッター収納部）
シャッター収納部２０は、シャッター１の各部を収納するための中空体であり、建物の上壁１３の近傍位置に取り付けられている。このシャッター収納部２０の内部には、開閉機と、巻き取り軸（図示省略）とが収容されている。また、巻き取り軸にてシャッターカーテン３０が巻き取られた状態では、シャッターカーテン３０の少なくとも一部も、シャッター収納部２０の内部に収容される。このシャッター収納部２０の下側部において、シャッターカーテン３０を中心とする建物の外側及び内側には、まぐさ（図示省略）が固定されている。これらまぐさの相互間には、開口部３の左右方向全長にわたるまぐさ開口（図示省略）が形成されており、このまぐさ開口を介してシャッターカーテン３０の出し入れが行われる。
【００２８】
（構成−シャッターカーテン）
シャッターカーテン３０は、巻き取り軸によって巻き取り又は巻き出しされることで、開口部３を全開した状態、開口部３を全閉した状態、あるいは半開状態とする遮蔽手段である。このシャッターカーテン３０は、複数のスラット（図示省略）を備えて構成されており、各スラットの上下の両端部には嵌合部（図示省略）が設けられている。この嵌合部は、複数のスラットを相互に嵌合接続するために各スラットの上下の両端部に設けられたもので、これら両端部を屈曲させることによって形成されている。また、このシャッターカーテン３０の左右方向の両端部の各々は、ガイドレール１４のコ字状の開放端部を介してガイドレール１４の内部に挿入されており、上下方向においてはガイドレール１４の内部をスライド移動可能であり、かつ、前後方向においてはガイドレール１４の外部に脱落しないように規制されている。
【００２９】
また、シャッターカーテン３０の下端部には、座板３１が設けられている。この座板３１は、シャッターカーテン３０によって開口部３を全閉した状態（以下、「開口部全閉状態」と称する）において建物の床面と近接し、又は接触するように配置されたものであり、シャッターカーテン３０の下端部の左右方向全長にわたって形成されている。この座板３１の上端部には嵌合部（図示省略）が設けられており、この嵌合部をシャッターカーテン３０の最下方側のスラットにおける下端部の嵌合部に嵌合させることで、座板３１がシャッターカーテン３０に取付けられている。また、この座板３１には、座板カバー３１ａが設けられている。座板カバー３１ａは、座板３１が左右方向に振動等してガイドレール１４の見込面と接触した場合に、当該ガイドレール１４の見込面が損傷することを防止するためのものである。この座板カバー３１ａは、座板３１の左右方向の両端部の各々において、左右方向の外向きに向けて張り出すように配置されており、座板３１に対して固定されている。
【００３０】
（構成−開閉機）
開閉機は、巻き取り軸を回転駆動することによって電動でシャッターカーテン３０を昇降させる昇降手段であり、操作スイッチやリモコン（いずれも図示せず）を介して操作される。
【００３１】
（構成−浸水防止構造）
次に、シャッター１の構成の詳細について説明する。図２は、図１の扉のＢ−Ｂ矢視断面図である。図１、図２に示すように、このシャッター１は、開口部全閉状態において、左側のガイドレール１４とシャッターカーテン３０の左側端部との相互間の隙間（以下、「左側方隙間３２（側方隙間）」と称する）、右側のガイドレール１４とシャッターカーテン３０の右側端部との相互間の隙間（以下、「右側方隙間３３（側方隙間）」と称する）、及び建物の床面と座板３１の下端部との相互間の隙間（以下、「下方隙間」と称する）から水が浸入することを防止するための浸水防止構造を備えている。この浸水防止構造は、防水シート４０と、側方差込部材５０と、下方差込部材６０、押圧部材７０とを備えている。以下では、この浸水防止構造について説明する。
【００３２】
（構成−浸水防止構造−防水シート）
最初に、防水シート４０について説明する。この防水シート４０は、開口部全閉状態において、左側方隙間３２及び右側方隙間３３を覆うことにより、これら左側方隙間３２及び右側方隙間３３の各々から水が浸入することを防止するための防水手段である。この防水シート４０は、略矩形状のシート状体であり、例えば公知の防水シート（具体的には、表側はナイロンで構成され、裏側はポリウレタンで構成された防水シート等）を用いて構成されている。
【００３３】
ここで、防水シート４０の大きさ及び配置については、開口部全閉状態において、防水シート４０によって左側方隙間３２及び右側方隙間３３が覆われるように、少なくともシャッターカーテン３０の外側面（すなわち、シャッターカーテン３０における建物の外側の側面）から左側のガイドレール１４に至るように配置されていると共に、シャッターカーテン３０の外側面から右側のガイドレール１４に至るように配置されている。この防水シート４０によって覆われる領域については、以下に示す通りに設定されている。具体的には、図１、図２に示すように、縦方向の領域において、当該領域の一方の端部については、当該領域の一方の端部が建物の床面から想定される水面までの高さ（例えば、３００ｍｍ等）と同じ又はそれよりも高くなるように、建物の床面から上方に向けて所定距離（例えば、４００ｍｍ等）に至る位置に設定されている。また、上記領域の他方の端部については、後述するように、防水シート４０を下方隙間に差し込まれる下方差込部材６０よりも建物の外側に延出させることにより、防水シート４０の延出部分が当該延出部分の上に流入した水によって下方に押圧されるように、開口部３から建物の外側に向けて所定距離（例えば、１００ｍｍ等）に至る位置に設定されている。また、横方向の領域においては、後述するように、左側方隙間３２及び右側方隙間３３の各々に、側方差込部材５０と共に、防水シート４０の一部を差し込むことが可能となるように、左側のガイドレール１４の外側面から右側のガイドレール１４の外側面に至る領域となるように設定されている。このような配置により、開口部全閉状態において、防水シート４０によって左側方隙間３２及び右側方隙間３３を覆うことが可能となる。
【００３４】
（構成−浸水防止構造−側方差込部材）
次に、側方差込部材５０について説明する。図３は、側方差込部材５０を示す図であり、（ａ）は平面図、（ｂ）は正面図、（ｃ）は背面図である。なお、図３（ａ）においては、側方差込部材５０に防水シート４０が接続されている状態の図を示すが、図３（ｂ）、図３（ｃ）においては、防水シート４０を省略して示す（なお、後述する図４から後述する図６についても同様とする）。図４は、図３（ａ）のＣ領域の要部拡大図である。図５は、後述する側方差込部材５０の押圧部５５を変形させた状態を示す図である。側方差込部材５０は、開口部全閉状態において、左側方隙間３２及び右側方隙間３３の各々に差し込むものである。この側方差込部材５０が設けられた理由は、以下の通りである。すなわち、防水シート４０を固定する方法として、例えば、防水シート４０の横方向の端部の各々に固定部材を取り付けると共に、建物の左壁１１及び右壁１２の各々に取付ネジによって保持部材を取り付けて、防水シート４０を固定部材を介して保持部材に対して固定する方法が考えられる。しかしながら、この方法では、保持部材を取り付けるための取付穴を左壁１１及び右壁１２の各々に設けておく必要があり、この取付穴を左壁１１及び右壁１２の各々に設けるための準備工事を行わなければならないことから、設置に手間がかかる可能性があった。そこで、この問題を解消するために、側方差込部材５０が設けられている。この側方差込部材５０は、図１、図２に示すように、開口部全閉状態において、左側方隙間３２及び右側方隙間３３の各々に差し込まれている。また、図２、図３に示すように、この側方差込部材５０は、本体部５１と、押圧部５５とを備えている。
【００３５】
（構成−浸水防止構造−側方差込部材−本体部）
本体部５１は、側方差込部材５０の基本構造体である。この本体部５１は、中実体にて形成されており（ただし、図２に示すように、製造上の都合により、本体部５１の内部に空洞部５１ａを有している）、開口部全閉状態において、本体部５１の少なくとも一部が左側方隙間３２又は右側方隙間３３に差し込まれる。なお、以下では、本体部５１の端部のうち、左側方隙間３２又は右側方隙間３３に差し込まれる側の端部５２を、「側方差込端部５２（差込端部）」と称する。
【００３６】
ここで、この本体部５１の形状については任意であるが、実施の形態においては、開口部全閉状態における左側方隙間３２（又は右側方隙間３３）の前後方向の長さ（隙間の幅）が、シャッター１の設置状況等に応じて一律ではないことに対応すべく、本体部５１の差込量を調整できる形状にて形成されている。
【００３７】
具体的には、図２、図３（ａ）に示すように、本体部５１の一部である側方差込端部５２（具体的には、本体部５１における側方差込端部５２から略中央部に至る部分）の横断面形状がくさび状に形成されている。特に、この側方差込端部５２の形状については、開口部全閉状態における左側方隙間３２（又は右側方隙間３３）の前後方向の長さ（隙間の幅）が１ｍｍ〜６ｍｍ程度である場合に、この左側方隙間３２（又は右側方隙間３３）の上下方向の全長にわたって、この左側方隙間３２（又は右側方隙間３３）に側方差込部材５０を好適に差し込むことができるように形成されている。より具体的には、側方差込端部５２の左右方向の長さ（幅）が４０ｍｍ程度（なお、本体部５１の左右方向の長さ（幅）は６０ｍｍ程度）、側方差込端部５２の前後方向の長さ（厚さ）が１ｍｍ〜６ｍｍ程度（なお、本体部５１における側方差込端部とは反対側の端部の前後方向の長さ（厚さ）は２０ｍｍ程度）、及び側方差込端部５２の上下方向の長さ（高さ）が４００ｍｍ程度（なお、本体部５１の上下方向の長さ（高さ）と同一）となるように形成されている。この形状の場合には、側方差込端部５２の前面（前後方向の建物外側面）と側方差込端部５２の後面（前後方向の建物内側面）とがなす内角が５度〜１０度程度となる。なお、この側方差込端部５２の左右方向の長さ（幅）については、具体的には、比較的短くなるように設定されることが好ましい。このような形状により、開口部全閉状態における左側方隙間３２（又は右側方隙間３３）の前後方向の長さ（隙間の幅）が長くなる程、本体部５１の差込量を多くすることにより、左側方隙間３２（又は右側方隙間３３）を常に塞ぐことができるので、左側方隙間３２（又は右側方隙間３３）の前後方向の長さ（隙間の幅）に応じて、本体部５１の差込量を調整できることなり、側方差込部材５０の設置性を向上させることが可能となる。
【００３８】
また、側方差込端部５２の前面と側方差込端部５２の後面とがなす内角の設定については任意であり、例えば、左側方隙間３２（又は右側方隙間３３）の前後方向の長さ（隙間の幅）が１ｍｍ〜６ｍｍを上回る場合には、側方差込端部５２の前面と側方差込端部５２の後面とがなす内角を、図３（ａ）に示す当該内角よりも大きく設定してもよく、あるいは、図３（ａ）に示す当該内角と略同一に設定しながら、側方差込端部５２の前後方向の長さ（厚さ）及び左右方向の長さ（幅）を、図３（ａ）に示す当該長さよりも長くしてもよい。また、左側方隙間３２（又は右側方隙間３３）の前後方向の長さ（厚さ）が１ｍｍ〜６ｍｍを下回る場合には、側方差込端部５２の前面と側方差込端部５２の後面とがなす内角を、図３（ａ）に示す当該内角よりも小さく設定してもよく、あるいは、図３（ａ）に示す当該内角と略同一に設定しながら、側方差込端部５２の前後方向の長さ（厚さ）及び左右方向の長さ（幅）を、図３（ａ）に示す当該長さよりも短くしてもよい。
【００３９】
また、本体部５１と防水シート４０との設置関係については、開口部全閉状態において、左側方隙間３２（又は右側方隙間３３）から水が浸入することを防止できるように、本体部５１と防水シート４０とが設置されている。実施の形態においては、図２に示すように、防水シート４０が、左側のガイドレール１４と側方差込端部５２とによって挟持され、且つ、側方差込端部５２とシャッターカーテン３０の外側面とによって挟持されるように、これら側方差込端部５２及び防水シート４０の一部が左側方隙間３２に差し込まれている。また、防水シート４０が、右側のガイドレール１４と側方差込端部５２とによって挟持され、且つ、側方差込端部５２とシャッターカーテン３０の外側面とによって挟持されるように、これら側方差込端部５２及び防水シート４０の一部が右側方隙間３３に差し込まれている。また、これら側方差込端部５２のいずれか一方（実施の形態では、左側方隙間３２に差し込まれる側方差込端部５２）においては、図３（ａ）に示すように、設置性を高めるために、当該側方差込端部５２の後面に対して、防水シート４０が糸５８によって接続されている。この糸５８は、例えば、耐久性や耐候性を有する公知の糸（具体的には、ナイロン糸、ポリエステル糸等の化学繊維糸や、綿たこ糸等の天然繊維糸等）を用いて構成されており、側方差込端部５２の後面において、当該側方差込端部５２の上下方向全長にわたって連続的に接続されている。また、この糸５８による接続部分は、所定間隔を隔てて左右方向に沿って複数並設（実施の形態においては２ヵ所が並設）されている。このような設置関係により、開口部全閉状態において、防水シート４０を強固に保持できることから、左側方隙間３２及び右側方隙間３３から水が浸入することを防止することが可能となる。特に、側方差込端部５２と左側（又は右側）のガイドレール１４とによって、防水シート４０を強固に保持できるので、左側（又は右側）のガイドレール１４と防水シート４０との相互間の隙間から水が浸入することを一層抑制することが可能となる。
【００４０】
また、この本体部５１には、凸部５３と、切欠部５４とが形成されている。このうち、凸部５３は、開口部全閉状態において、左側方隙間３２（又は右側方隙間３３）に差し込まれた側方差込部材５０が抜き出しにくくするためのものである。この凸部５３は、本体部５１における少なくとも側方差込端部５２の外側面のうち、防水シート４０を介して左側（又は右側）のガイドレール１４と対向する部分から外側に向けて突出しており（例えば、１ｍｍ程度突出する）、本体部５１の上下方向の全長にわたって形成され、左右方向に沿って複数並設されている。また、この凸部５３の設置の向きについては任意であるが、実施の形態においては、凸部５３によって側方差込部材５０及び防水シート４０の一部が左側方隙間３２（又は右側方隙間３３）に差し込みやすくなると共に、側方差込部材５０及び防水シート４０の一部が左側方隙間３２（又は右側方隙間３３）から抜き出しにくくなる向きに向けて設置されており、具体的には、図４に示すように、左側方隙間３２（又は右側方隙間３３）に差し込まれる側とは反対側に向けて傾斜して設置されている。このような凸部５３によって、開口部全閉状態において、側方差込部材５０及び防水シート４０の一部を左側方隙間３２（又は右側方隙間３３）に差し込む場合に、凸部５３がこれら側方差込部材５０及び防水シート４０の一部に対して抵抗しづらくなるので、これら側方差込部材５０及び防水シート４０の一部が差し込みやすくなる。一方で、側方差込部材５０及び防水シート４０の一部を左側方隙間３２（又は右側方隙間３３）から抜き出す場合に、凸部５３がこれら側方差込部材５０及び防水シート４０の一部に対して抵抗するので、これら側方差込部材５０及び防水シート４０の一部が抜き出しにくくなる。以上のことから、側方差込部材５０及び防水シート４０の設置性を向上させることが可能となる。
【００４１】
また、切欠部５４は、開口部全閉状態において、側方差込部材５０を左側方隙間３２（又は右側方隙間３３）に差し込んだ場合に、本体部５１が座板３１の座板カバー３１ａと接触することを回避するためのものである。図３（ｂ）、図３（ｃ）に示すように、この切欠部５４は、本体部５１の下端部（又は上端部）のうち、座板カバー３１ａと対応する部分に形成されている。また、この切欠部５４の形状については、具体的には、本体部５１が座板カバー３１ａと接触することを回避できるように、切欠部５４の上下方向の長さが座板カバー３１ａの上下方向の長さ（厚さ）と略同一又はそれを上回る長さに設定されており、切欠部５４の左右方向の長さが座板カバー３１ａの左右方向の長さ（幅）と略同一又はそれを上回る長さに設定されている。このような切欠部５４により、開口部全閉状態において、側方差込部材５０を左側方隙間３２（又は右側方隙間３３）に差し込んだ場合に、本体部５１が座板カバー３１ａと接触することを回避できるため、側方差込部材５０の設置性を高めることが可能となる。特に、この切欠部５４が本体部５１の下端部及び上端部に形成されているので、側方差込部材５０を左側方隙間３２又は右側方隙間３３のいずれかに差し込んだ場合でも、本体部５１が座板カバー３１ａと接触することを回避でき、側方差込部材５０の設置性を一層高めることが可能となる。
【００４２】
また、この本体部５１は、任意の材質で製造することができるが、実施の形態においては、耐水性に優れ、且つ、変形しにくい材質（例えば、ゴム等の樹脂材等）で製造されている。
【００４３】
（構成−浸水防止構造−側方差込部材−押圧部）
押圧部５５は、自己の変形（例えば曲げ変形等）により生じる復元力によって、防水シート４０における左側（又は右側）のガイドレール１４を覆う部分の少なくとも一部を当該ガイドレール１４に対して押圧するものである。この押圧部５５が設けられた理由は、以下の通りである。すなわち、側方差込部材５０が本体部５１のみを備えた場合には、防水シート４０における左側のガイドレール１４を覆う部分のうち、左側方隙間３２に差し込まれる部分以外の部分が、側方差込部材５０と左側のガイドレール１４とによって挟持されないので、この左側方隙間３２に差し込まれる部分以外の部分を、左側方隙間３２に差し込まれる部分に比べて左側のガイドレール１４に対して強固に固定できなかった。このため、防水シート４０と左側のガイドレール１４との相互間の隙間から水が浸入する可能性があった（なお、防水シート４０における右側のガイドレール１４を覆う部分のうち、右側方隙間３３に差し込まれる部分以外の部分についても同様である）。そこで、この問題を解消するために、押圧部５５が設けられている。この押圧部５５は、図２、図３に示すように、略板状体であり、本体部５１の上下方向の全長にわたって形成されている。また、この押圧部５５は、本体部５１の外側面のうち側方差込端部５２とは反対側の端部近傍から側方差込端部５２側に向けて張り出すように配置されている。
【００４４】
ここで、押圧部５５の張り出し長さＬ１については、実施の形態では、側方差込部材５０の製造性の観点から、押圧部５５の先端部が本体部５１の側方差込端部５２と重なり合う長さに設定されている。ただし、これに限られず、押圧部５５の先端部が本体部５１の側方差込端部５２よりも外側に張り出す長さに設定されてもよく、あるいは、本体部５１の側方差込端部５２が押圧部５５の先端部よりも外側に張り出す長さに設定されてもよい。
【００４５】
また、押圧部５５と防水シート４０との設置関係については任意であるが、実施の形態においては、図２に示すように、開口部全閉状態において、防水シート４０が押圧部５５の先端部よりも側方に延出するように、これら押圧部５５及び防水シート４０が設置されている。このような設置関係により、開口部全閉状態において、水によって防水シート４０の延出部分を押圧させることができ、左側（又は右側）のガイドレール１４と防水シート４０との相互間の隙間から水が浸入することを一層抑制することが可能となる。なお、この防水シート４０の延出部分の長さＬ２については、具体的には、流水によってこの延出部分がめくり上がることで、この延出部分と左側（又は右側）のガイドレール１４との相互間の隙間から水が浸入することを抑制できるように、１０ｍｍから２０ｍｍ程度に設定される。
【００４６】
また、この押圧部５５の先端部には、当接部５６が設けられている。当接部５６は、押圧部５５を本体部５１に当接させるための当接手段であり、押圧部５５の押圧側とは反対側に向けて突出するように形成されている（例えば、５ｍｍ程度突出している）。この当接部５６による押圧部５５と本体部５１との当接については、具体的には、図５に示すように、押圧部５５の少なくとも先端部を本体部５１から離れる方向に向けて変形させてから、さらに本体部５１における側方差込端部５２とは反対側の端部に向けて変形させた状態で、当接部５６の先端部分のみを本体部５１における側方差込端部５２とは反対側の端部に当接することにより、押圧部５５と本体部５１とを当接させる。なお、押圧部５５と本体部５１との当接状態を保持する場合には、例えば、ユーザの指によって当接部５６を本体部５１に押えつけることにより保持することが可能となる。このような当接部５６により、側方差込部材５０を左側方隙間３２（又は右側方隙間３３）に差し込む場合に、押圧部５５が邪魔になることを回避できるので、側方差込部材５０の設置性を維持することが可能となる。特に、押圧部５５から突出するように当接部５６を設けているので、当接部５６を本体部５１に対して容易に当接させることが可能となる。
【００４７】
また、この押圧部５５は、任意の材質で製造することができるが、実施の形態においては、耐水性を有し、且つ、自己の曲げ変形により生じる復元力によって防水シート４０を押圧できるように、変形可能な材質で製造されており、例えば、本体部５１よりも高度が低い材質（例えば、ゴム等の樹脂材等）で製造されている。
【００４８】
このような押圧部５５により、開口部全閉状態において、防水シート４０における左側のガイドレール１４を覆う部分のうち、左側方隙間３２に差し込まれる部分以外の部分（又は、防水シート４０における右側のガイドレール１４を覆う部分のうち、右側方隙間３３に差し込まれる部分以外の部分）を当該ガイドレール１４に対して押圧できるので、当該ガイドレール１４と防水シート４０との相互間の隙間から水が浸入することを一層抑制することが可能となる。
【００４９】
（構成−浸水防止構造−下方差込部材）
下方差込部材６０は、開口部全閉状態において、下方隙間に差し込むものである。この下方差込部材６０が設けられた理由は、以下の通りである。すなわち、押圧部材７０のみで防水シート４０を建物の床面に対して押圧することにより、流水によって防水シート４０がめくり上がることを防止することも考えられる。しかしながら、この場合には、流水の流れが強くなるに伴って、押圧部材７０の重量を増やす必要があることから、浸水防止構造の設置性を低下させる可能性があった。そこで、この問題を解消するために、下方差込部材６０が設けられている。この下方差込部材６０は、例えばゴム等の樹脂製のブロック状体にて形成されており、図１、図２に示すように、この下方差込部材６０は、開口部全閉状態における下方隙間に複数差し込まれている（具体的には、一部を除いて、下方差込部材６０間に隙間なく差し込まれている）。
【００５０】
また、この下方差込部材６０の形状については任意であるが、開口部全閉状態において、下方差込部材６０の差し込まれる部分（以下、「下方差込端部」と称する）が下方隙間に差し込むことができる形状にて形成されている。具体的には、下方差込端部の上下方向の長さ（厚さ）は、下方隙間の上下方向の長さ（隙間の高さ）に対して、その先端部においては短くなると共にその後端部においては略同一となるように形成されている。また、下方差込端部の左右方向の長さ（幅）は、下方隙間の左右方向の長さ（隙間の幅）に対して、短くなるように形成されている。
【００５１】
また、この下方差込部材６０と防水シート４０との設置関係については、開口部全閉状態において、下方隙間から水が浸入することを防止できるように、下方差込部材６０と防水シート４０とが設置されている。実施の形態においては、防水シート４０が、下方差込端部と建物の床面とによって挟持されるように、これら下方差込端部及び防水シート４０の一部が下方隙間に差し込まれている。このような下方差込部材６０により、開口部全閉状態において、防水シート４０を強固に保持できることから、下方隙間から水が浸入することを防止することが可能となる。
【００５２】
（構成−浸水防止構造−押圧部材）
押圧部材７０は、防水シート４０を押圧するためのものである。この押圧部材７０が設けられた理由は、以下に示す通りである。すなわち、シャッター１としては様々な幅のものがあるため、各幅に応じて異なる下方差込部材６０を形成することも考えられるが、製造コスト低減等のためには、各幅に共通に使用することができるように下方差込部材６０を形成することがより好ましい。そこで、実施の形態においては、左右方向の長さ（幅）が異なる２種類の下方差込部材６０（例えば、幅＝３００ｍｍ程度の下方差込部材６０、及び幅＝６００ｍｍ程度の下方差込部材６０等）とを、シャッター１の幅に応じた数だけ組み合わせることで、これら複数の下方差込部材６０を下方隙間に隙間なく差し込むこととしている。この際、上記２種類の幅の下方差込部材７０のうち、いずれを優先的に差し込んでもよい。しかしながら、この場合において、シャッター１の幅が、複数組み合わせた下方差込部材６０の合計幅と同一でない限り、下方隙間のうち、複数の下方差込部材６０で埋めることができない余剰部分（具体的には、上記幅が短い下方差込部材６０の左右方向の長さ（幅）よりも左右方向の長さ（幅）が短い余剰部分）が生じる場合が考えられる。そこで、この問題を解消するために、押圧部材７０が設けられている。
【００５３】
この押圧部材７０は、例えば、ステンレス等の金属製（又は樹脂コーティングされた金属製）の肉厚な板状体（又は棒状体）にて形成されている。また、この押圧部材７０の幅については、様々な余剰部分の左右方向の長さ（幅）に対応できるように、２種類の下方差込部材６０のうち、幅が短い下方差込部材６０の幅よりも若干長くなるように設定されており、具体的には、幅が短い方の下方差込部材６０の幅＝３００ｍｍ程度である場合に、３５０ｍｍ程度に設定される。そして、図１（ａ）、図１（ｂ）に示すように、この押圧部材７０は、開口部全閉状態において、防水シート４０における建物の床面に対向する部分のうち、上記余剰部分の近傍部分（例えば、下方差込部材６０よりも建物の外側の位置）に載置されている。例えば、シャッター１の幅＝２９００ｍｍ、幅が長い下方差込部材６０の幅＝６００ｍｍ、幅が短い下方差込部材６０の幅＝３００ｍｍの場合には、４つの上記幅が長い下方差込部材６０と、１つの上記幅が短い下方差込部材６０とを、それぞれ相互に隙間なく配置した上で、この余剰部分の近傍部分に、押圧部材７０を載置する。この際、押圧部材７０は下方隙間の左端部又は右端部には配置しないことが好ましいため、余剰部分（幅＝２００ｍｍ）が下方隙間の左端部又は右端部に生じないように、下方差込部材６０を配置する。この押圧部材７０によって、開口部全閉状態において、下方隙間に上記余剰部分が生じた場合でも、防水シート４０における余剰部分に対応する部分を押圧できるので、防水シート４０と建物の床面との相互間の隙間から水が浸入することを一層抑制することが可能となる。
【００５４】
以上のような浸水防止構造により、開口部全閉状態において、左側方隙間３２及び右側方隙間３３から水が浸入することを防止できる。特に、従来技術と比べて、準備工事を行うことなく、側方差込部材５０をシャッター１に取り付けることができるので、設置作業の手間を低減することが可能となる。また、図１、図２に示すように、側方差込部材５０と左側（又は右側）のガイドレール１４とによって防水シート４０の一部が挟持されていることに加えて、下方差込部材６０と建物の床面とによって、防水シート４０における建物の床面に対向する部分のうち、左側（又は右側）のガイドレール１４の下端部近傍部分が挟持されているので、防水シート４０を一層強固に保持できることから、当該ガイドレール１４と防水シート４０との相互間の隙間から水が浸入することも一層抑制することが可能となる。
【００５５】
（構成−浸水防止構造の取付方法）
次に、浸水防止構造の取付方法について説明する。
【００５６】
まず、開口部全閉状態になるように、シャッターカーテン３０を移動させる。次に、防水シート４０と接続された側方差込部材５０と当該防水シート４０の一部を、開口部３の幅方向（すなわち、左右方向）の中央側から左側のガイドレール１４側に向けて左側方隙間３２に差し込むことにより、防水シート４０を当該ガイドレール１４と側方差込端部５２とによって挟持させ、且つ、側方差込端部５２とシャッターカーテン３０の外側面とによって挟持させる。この場合において、この側方差込部材５０がぐらつかない程度に、この側方差込部材５０を差し込む。この際、この側方差込部材５０の下端部を建物の床面に当接させる。また、この側方差込部材５０を差し込む前には、押圧部５５を本体部５１から離れる方向に向けて変形させてから、さらにこの本体部５１における側方差込端部５２とは反対側の端部に向けて変形させた状態で、当接部５６を本体部５１の本体部５１における側方差込端部５２とは反対側の端部に接触させることにより、押圧部５５と本体部５１とを当接させる。そして、この側方差込部材５０を差し込んだ後に、変形させた押圧部５５によって、防水シート４０における左側のガイドレール１４を覆う部分のうち、左側方隙間３２に差し込まれる部分以外の部分を当該ガイドレール１４に対して押圧させる（なお、以上の点については、防水シート４０と接続されていない側方差込部材５０についても同様とする）。このように、一方の側方差込部材５０を配置することで、防水シート４０を、当該防水シート４０によって左側方隙間３２が覆われるように配置することができる。
【００５７】
次に、防水シート４０と接続されていない側方差込部材５０及び防水シート４０の一部を、開口部３の幅方向の中央側から右側のガイドレール１４側に向けて右側方隙間３３に差し込むことにより、防水シート４０を当該ガイドレール１４と側方差込端部５２とによって挟持させ、且つ、側方差込端部５２とシャッターカーテン３０の外側面とによって挟持させる。この際、この側方差込部材５０の下端部を建物の床面に当接させる。このように、他方の側方差込部材５０を配置することで、防水シート４０を、当該防水シート４０によって右側方隙間３３が覆われるように配置することができる。
【００５８】
続いて、複数の下方差込部材６０及び防水シート４０の一部を、建物の外側から内側に向けて下方隙間に差し込む。そして、押圧部材７０を、防水シート４０における建物の床面に対向する部分のうち上記余剰部分の近傍部分に載置する。この場合において、複数の下方差込部材６０のうち、最左方側の下方差込部材６０を、防水シート４０と接続された側方差込部材５０に当接させると共に、最右方側の下方差込部材６０を、防水シート４０と接続されていない側方差込部材５０に当接させる。これにて、浸水防止構造の取り付けは終了する。
【００５９】
なお、浸水防止構造を取り外す場合には、まず、押圧部材７０を防水シート４０から取り外す。次に、防水シート４０が接続されていない側方差込部材５０を右側方隙間３３から取り外す。次いで、複数の下方差込部材６０を防水シート４０から取り外す。この場合において、下方差込部材６０が比較的強固に差し込まれている場合には、シャッターカーテン３０を上方に向けて移動させた後で、複数の下方差込部材６０を取り外してもよい。そして、防水シート４０が接続された側方差込部材５０を左側方隙間３２から取り外す。
【００６０】
（効果）
このように実施の形態によれば、側方差込部材５０のうち、少なくとも側方差込端部５２の横断面形状を、くさび状とし、開口部全閉状態において、防水シート４０が、左側のガイドレール１４と側方差込端部５２とによって挟持されるように、これら側方差込端部５２及び防水シート４０の一部を左側方隙間３２に差し込むと共に、防水シート４０が、右側のガイドレール１４と側方差込端部５２とによって挟持されるように、これら側方差込端部５２及び防水シート４０の一部を右側方隙間３３に差し込むので、防水シート４０及び側方差込部材５０によって、左側方隙間３２及び右側方隙間３３から水が浸入することを防止できる。特に、従来技術と比べて、準備工事を行うことなく、側方差込部材５０をシャッター１に取り付けることができるので、設置作業の手間を低減することが可能となる。
【００６１】
また、側方差込部材５０は、防水シート４０における左側（又は右側）のガイドレール１４を覆う部分の少なくとも一部を当該ガイドレール１４に対して押圧する押圧部５５を備えるので、開口部全閉状態において、この防水シート４０における左側（又は右側）のガイドレール１４を覆う部分の少なくとも一部を当該ガイドレール１４に対して押圧でき、当該ガイドレール１４と防水シート４０との相互間の隙間から水が浸入することを一層抑制することが可能となる。
【００６２】
また、押圧部５５の先端部には、当該押圧部５５の少なくとも当該先端部を側方差込部材５０から離れる方向に向けて変形させてから、さらに当該側方差込部材５０における側方差込端部５２とは反対側の端部に向けて変形させた状態で、側方差込部材５０における側方差込端部５２とは反対側の端部に当該押圧部５５を当接させるための当接部５６を設けたので、側方差込部材５０を左側方隙間３２又は右側方隙間３３に差し込む場合に、当接部５６を側方差込部材５０における側方差込端部５２とは反対側の端部に当接することで、押圧部５５が邪魔になることを回避でき、側方差込部材５０の設置性を維持することが可能となる。
【００６３】
また、開口部全閉状態において、防水シート４０を、左側方隙間３２又は右側方隙間３３に差し込まれた側方差込部材５０における押圧部５５の先端部よりも側方に延出させたので、水によって防水シート４０の延出部分を押圧させることができ、左側（又は右側）のガイドレール１４と防水シート４０との相互間の隙間から水が浸入することを一層抑制することが可能となる。
【００６４】
また、側方差込部材５０における少なくとも側方差込端部５２のうち、防水シート４０を介して左側（又は右側）のガイドレール１４と対向する部分には、左側方隙間３２又は右側方隙間３３に差し込まれる側とは反対側に向けて傾斜して突出する凸部５３を設けたので、開口部全閉状態において、側方差込部材５０及び防水シート４０の一部を左側方隙間３２又は右側方隙間３３に差し込む場合に、凸部５３がこれら側方差込部材５０及び防水シート４０の一部に対して抵抗しづらくなるので、これら側方差込部材５０及び防水シート４０の一部が差し込みやすくなる。一方で、側方差込部材５０及び防水シート４０の一部を左側方隙間３２又は右側方隙間３３から抜き出す場合に、凸部５３がこれら側方差込部材５０及び防水シート４０の一部に対して抵抗するので、これら側方差込部材５０及び防水シート４０の一部が抜き出しにくくなる。以上のことから、側方差込部材５０及び防水シート４０の設置性を向上させることが可能となる。
【００６５】
また、下方隙間に、建物の外側から当該建物の内側に向けて差し込むための下方差込部材６０を備えたので、下方差込部材６０と建物の床面とによって、防水シート４０における建物の床面に対向する部分のうち、左側（又は右側）のガイドレール１４の下端部近傍部分が挟持されることにより、防水シート４０を一層強固に保持できることから、当該ガイドレール１４と防水シート４０との相互間の隙間から水が浸入することも一層抑制することが可能となる。
〔III〕実施の形態に対する変形例
以上、本発明の実施の形態について説明したが、本発明の具体的な構成及び手段は、特許請求の範囲に記載した各発明の技術的思想の範囲内において、任意に改変及び改良することができる。以下、このような変形例について説明する。
【００６６】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。例えば、本発明に係る浸水防止構造の設置性が従来と同程度であっても、従来と異なる構造により従来と同程度の設置性を確保できている場合には、本願の課題は解決している。
【００６７】
（浸水防止構造の構成について）
上記実施の形態では、浸水防止構造が、防水シート４０、側方差込部材５０と、下方差込部材６０、押圧部材７０とを備えていると説明したが、これに限られず、例えば、これらの構成要素に加えて、吸水膨張材を備えてもよい。吸水膨張材は、開口部全閉状態において、水により膨張することで左側方隙間３２及び右側方隙間３３を塞ぐためのものである。この吸水膨張材は、公知の吸水性ポリマー等を用いて構成されており、側方差込部材５０の外側面に設置される。このような吸水膨張材により、開口部全閉状態において、防水シート４０を介して左側方隙間３２及び右側方隙間３３を塞ぐことができるので、これら左側方隙間３２又は右側方隙間３３から水が浸入することを一層防止することが可能となる。
【００６８】
（防水シートについて）
上記実施の形態では、開口部全閉状態において、防水シート４０によってシャッターカーテン３０の外側面の一部が覆われるように、防水シート４０が配置されていると説明したが、これに限られず、例えば、防水シート４０によってシャッターカーテン３０の外側面の全体が覆われるように、防水シート４０が配置されてもよい。また、上記実施の形態では、開口部全閉状態において、防水シート４０が下方隙間に差し込まれた下方差込６０よりも建物の外側に延出されていると説明したが、これに限られない。例えば、下方差込部材６０の下面に、当該下面から下方に突出するような密着部であって、防水シート４０の一部を建物の床面に対して密着させるための弾性変形可能な密着部が設けられている場合には、防水シート６０が密着部よりも建物の外側に延出されていればよい。
【００６９】
（側方差込部材について）
上記実施の形態では、開口部全閉状態において、側方差込部材５０が、左側方隙間３２及び右側方隙間３３の各々に差し込まれると説明したが、これに限られず、例えば、側方差込部材５０が、左側方隙間３２又は右側方隙間３３のいずれか一方のみに差し込まれてもよい。この場合には、左側方隙間３２及び右側方隙間３３のいずれか他方から水が浸入することを防止するために、防水シート４０の横方向の端部の各々に固定部材を取り付けると共に、建物の左壁１１及び右壁１２の各々に取付ネジによって保持部材を取り付けて、防水シート４０を固定部材を介して保持部材に対して固定してもよい。
【００７０】
また、上記実施の形態では、左側方隙間３２に差し込まれる側方差込部材５０が、糸５８によって接続されていると説明したが、これに限られず、例えば、側方差込部材５０が、接着剤等によって接続されてもよい。
【００７１】
（側方差込部材の本体部について）
上記実施の形態では、本体部５１が中実体にて形成されていると説明したが、これに限られず、例えば、中空体にて形成されてもよい。また、上記実施の形態では、本体部５１の一部の横断面形状がくさび状に形成されていると説明したが、これに限られず、例えば、本体部５１全体の横断面形状がくさび状に形成されてもよい。
【００７２】
また、上記実施の形態では、本体部５１に凸部５３と、切欠部５４とが形成されていると説明したが、これに限られない。例えば、凸部５３及び切欠部５４を省略してもよい。あるいは、これら凸部５３及び切欠部５４に加えて、凹部５７が形成されてもよい。図６は、側方差込部材５０の変形例を示す図である。図６に示すように、凹部５７は、押圧部５５の当接部５６を嵌合するためのものであり、本体部５１における側方差込端部５２とは反対側の端部において、本体部５１の上下方向の全長にわたって形成されている。このような凹部５７により、押圧部５５の少なくとも先端部を本体部５１から離れる方向に向けて変形させてから、さらにこの本体部５１における側方差込端部５２とは反対側の端部に向けて変形させた状態において、当接部５６を凹部５７に嵌合させることにより、ユーザの指によって当接部５６を本体部５１に押えつけることなく、この押圧部５５と本体部５１との当接状態を保持することができる。よって、側方差込部材５０の設置性を一層向上させることが可能となる。
【００７３】
（側方差込部材の押圧部について）
上記実施の形態では、本体部５１の押圧部５５が設けられていると説明したが、例えば、押圧部５５を省略してもよい。また、上記実施の形態では、押圧部５５が、本体部５１の外側面のうち側方差込端部５２とは反対側の端部近傍から側方差込端部５２側に向けて張り出すように配置されていると説明したが、これに限られず、例えば、本体部５１の外側面の略中央部から側方差込端部５２側に向けて張り出すように配置されてもよい。
【００７４】
（側方差込部材及び防水シートの差し込みについて）
上記実施の形態では、開口部全閉状態において、防水シート４０が、左側（又は右側）のガイドレール１４と側方差込端部５２とによって挟持され、且つ、側方差込端部５２とシャッターカーテン３０の外側面とによって挟持されるように、これら側方差込端部５２及び防水シート４０の一部が左側方隙間３２（又は右側方隙間３３）に差し込まれていると説明したが、これに限られない。例えば、図７に示すように、防水シート４０が、左側（又は右側）のガイドレール１４と側方差込端部５２とによってのみ挟持されるように、これら側方差込端部５２及び防水シート４０の一部が左側方隙間３２（又は右側方隙間３３）に差し込まれてもよい。この場合には、側方差込部材５０のうち、左側方隙間３２（又は右側方隙間３３）に差し込まれていない部分は、防水シート４０によって覆われることになるので、側方差込部材５０の押圧部５５を省略する。
【００７５】
（下方差込部材について）
上記実施の形態では、左右方向の長さ（幅）が異なる２種類の下方差込部材６０が、下方隙間に隙間なく複数差し込まれると説明したが、これに限られず、例えば、１種類の下方差込部材６０が、下方隙間に隙間なく複数差し込まれてもよい。
【００７６】
（押圧部材について）
上記実施の形態では、押圧部材７０の幅については、２種類の下方差込部材６０のうち、幅が短い下方差込部材６０の幅よりも若干長くなるように設定されていると説明したが、これに限られず、例えば、余剰部分の幅と略同一に設定されてもよい。
【００７７】
また、上記実施の形態では、押圧部材７０を設けると説明したが、これに限られず、例えば、押圧部材７０を省略してもよい。この場合には、余剰部分の幅と略同一となるように形成された下方差込部材６０を、当該余剰部分に差し込んでもよい。
【００７８】
（浸水防止構造の取付方法について）
上記実施の形態では、側方差込部材５０及び防水シート４０の一部を左側方隙間３２及び右側方隙間３３の各々に差し込んでから、複数の下方差込部材６０及び防水シート４０の一部を下方隙間に差し込むと説明したが、これに限られない。例えば、防水シート４０と接続された側方差込部材５０及び当該防水シート４０の一部を左側方隙間３２に差し込んでから、複数の下方差込部材６０及び防水シート４０の一部を下方隙間に差し込んだ後、防水シート４０と接続されていない側方差込部材５０及び防水シート４０の一部を右側方隙間３３に差し込んでもよい。
【００７９】
また、上記実施の形態では、防水シート４０が接続されていない側方差込部材５０を取り外して、複数の下方差込部材６０を取り外した後に、防水シート４０が接続された側方差込部材５０を取り外すと説明したが、これに限られず、任意に順番を入れ替えてもよい。例えば、複数の下方差込部材６０を取り外して、防水シート４０が接続されていない側方差込部材５０を取り外した後に、防水シート４０が接続された側方差込部材５０を取り外してもよい。
【００８０】
（付記）
付記１の浸水防止構造は、建物の壁の開口部の側方に設けられた縦枠と、前記開口部の開閉を行う開閉体の外側面との相互間の側方隙間から水が浸入することを防止するための浸水防止構造であって、前記開閉体によって前記開口部を全閉した状態において、少なくとも当該開閉体の外側面から前記縦枠に至るように設けられた防水シートと、前記側方隙間に、前記開口部の幅方向の中央側から前記縦枠側に向けて差し込むための側方差込部材と、を備え、前記側方差込部材のうち、少なくとも前記側方隙間に差し込まれる側の端部である差込端部の横断面形状を、くさび状とし、前記開閉体によって前記開口部を全閉した状態において、前記防水シートが、前記縦枠と前記差込端部とによって挟持されるように、当該差込端部及び当該防水シートの一部を前記側方隙間に差し込んだ。
【００８１】
付記２の浸水防止構造は、付記１に記載の浸水防止構造において、前記側方差込部材は、前記防水シートにおける前記縦枠を覆う部分の少なくとも一部を当該縦枠に対して押圧する押圧部を備える。
【００８２】
付記３の浸水防止構造は、付記２に記載の浸水防止構造において、前記押圧部の先端部には、当該押圧部の少なくとも当該先端部を前記側方差込部材から離れる方向に向けて変形させてから、さらに当該側方差込部材における前記差込端部とは反対側の端部に向けて変形させた状態で、当該側方差込部材における前記差込端部とは反対側の端部に当該押圧部を当接させるための当接手段を設けた。
【００８３】
付記４の浸水防止構造は、付記２又は３に記載の浸水防止構造において、前記開閉体によって前記開口部を全閉した状態において、前記防水シートを、前記側方隙間に差し込まれた前記側方差込部材における前記押圧部の先端部よりも側方に延出させた。
【００８４】
付記５の浸水防止構造は、付記１から４のいずれか一項に記載の浸水防止構造において、前記側方差込部材における前記少なくとも前記差込端部のうち、前記防水シートを介して前記縦枠と対向する部分には、前記側方隙間に差し込まれる側とは反対側に向けて傾斜して突出する凸部を設けた。
【００８５】
付記６の浸水防止構造は、付記１から５のいずれか一項に記載の浸水防止構造において、前記建物の床面と、前記開閉体の下端部との相互間の下方隙間に、前記建物の外側から当該建物の内側に向けて差し込むための下方差込部材を備え、前記開閉体によって前記開口部を全閉した状態において、前記防水シートが、前記建物の床面と前記下方差込部材とによって挟持されるように、当該下方差込部材及び当該防水シートの一部を前記下方隙間に差し込んだ。
【００８６】
（付記の効果）
付記１に記載の浸水防止構造によれば、側方差込部材のうち、少なくとも差込端部の横断面形状を、くさび状とし、開閉体によって開口部を全閉した状態において、防水シートが、縦枠と差込端部とによって挟持されるように、当該差込端部及び当該防水シートの一部を側方隙間に差し込むので、防水シート及び側方差込部材によって、側方隙間から水が浸入することを防止できる。特に、従来技術と比べて、準備工事を行うことなく、差止部材をシャッターに取り付けることができるので、設置作業の手間を低減することが可能となる。
【００８７】
付記２に記載の浸水防止構造によれば、側方差込部材は、防水シートにおける縦枠を覆う部分の少なくとも一部を当該縦枠に対して押圧する押圧部を備えるので、開閉体によって開口部を全閉した状態において、防水シートにおける縦枠を覆う部分の少なくとも一部を縦枠に対して押圧でき、縦枠と防水シートとの相互間の隙間から水が浸入することを一層抑制することが可能となる。
【００８８】
付記３に記載の浸水防止構造によれば、押圧部の先端部には、当該押圧部の少なくとも当該先端部を側方差込部材から離れる方向に向けて変形させてから、さらに当該側方差込部材における差込端部とは反対側の端部に向けて変形させた状態で、当該側方差込部材における差込端部とは反対側の端部に当該押圧部を当接させるための当接手段を設けたので、側方差込部材を側方隙間に差し込む場合に、当接手段を側方差込部材における差込端部とは反対側の端部に当接することで、押圧部が邪魔になることを回避でき、側方差込部材の設置性を維持することが可能となる。
【００８９】
付記４に記載の浸水防止構造によれば、開閉体によって開口部を全閉した状態において、防水シートを、側方隙間に差し込まれた側方差込部材における押圧部の先端部よりも側方に延出させたので、水によって防水シートの延出部分を押圧させることができ、縦枠と防水シートとの相互間の隙間から水が浸入することを一層抑制することが可能となる。
【００９０】
付記５に記載の浸水防止構造によれば、側方差込部材における少なくとも差込端部のうち、防水シートを介して縦枠と対向する部分には、側方隙間に差し込まれる側とは反対側に向けて傾斜して突出する凸部を設けたので、開閉体によって開口部を全閉した状態において、側方差込部材及び防水シートの一部を側方隙間に差し込む場合に、凸部がこれら側方差込部材及び防水シートの一部に対して抵抗しづらくなるので、これら側方差込部材及び防水シートの一部が差し込みやすくなる。一方で、側方差込部材及び防水シートの一部を側方隙間から抜き出す場合に、凸部がこれら側方差込部材及び防水シートの一部に対して抵抗するので、これら側方差込部材及び防水シートの一部が抜き出しにくくなる。以上のことから、側方差込部材及び防水シートの設置性を向上させることが可能となる。
【００９１】
付記６に記載の浸水防止構造によれば、下方隙間に、建物の外側から当該建物の内側に向けて差し込むための下方差込部材を備えたので、下方差込部材と建物の床面とによって、防水シートにおける建物の床面に対向する部分のうち、縦枠の下端部近傍部分が挟持されることにより、防水シートを一層強固に保持できることから、当該縦枠と防水シートとの相互間の隙間から水が浸入することも一層抑制することが可能となる。
【符号の説明】
【００９２】
１  シャッター
２  躯体
３  開口部
１１  左壁
１２  右壁
１３  上壁
１４  ガイドレール
２０  シャッター収納部
３０  シャッターカーテン
３１  座板
３１ａ  座板カバー
３２  左側方隙間
３３  右側方隙間
４０  防水シート
５０  側方差込部材
５１  本体部
５１ａ  空洞部
５２  側方差込端部
５３  凸部
５４  切欠部
５５  押圧部
５６  当接部
５７  凹部
５８  糸
６０  下方差込部材
７０  押圧部材
Ｌ１  押圧部の張り出し長さ
Ｌ２  防水シートの延出部分の長さ
【図１】
0006386374.tif 000002
【図２】
0006386374.tif 000003
【図３】
0006386374.tif 000004
【図４】
0006386374.tif 000005
【図５】
0006386374.tif 000006
【図６】
0006386374.tif 000007
【図７】
0006386374.tif 000008